Podtech/llm-jp-corpus-v4-ja_patent huggingface dataset:
【手続補正書】
【提出日】平成27年3月10日(2015.3.10)
【手続補正１】
【補正対象書類名】特許請求の範囲
【補正対象項目名】全文
【補正方法】変更
【補正の内容】
【特許請求の範囲】
【請求項１】
放射線に曝露された又は放射線曝露の危険性がある被験体において放射線への曝露に関連する１つ又は複数の副作用を軽減及び／又は予防するための経口用組成物を調製するための、食用メラニン源の使用であって、該経口用組成物は、放射線に関連する副作用を軽減するのに有効な量の食用メラニン源を含む、使用。
【請求項２】
複数の被験体を死亡させる可能性が高い量の放射線に曝露された該複数の被験体の生存率を増大させるための経口用組成物を調製するための食用メラニン源の使用であって、該経口用組成物は前記複数の被験体を死亡させる可能性が高い量の放射線に曝露された該複数の被験体の生存率を増大させるのに有効な量の食用メラニン源を含む、使用。
【請求項３】
前記経口用組成物は、前記被験体（単数又は複数）に、該被験体の体重１ｋｇ当たり少なくとも８ｍｇの精製メラニンに相当する量のメラニンを含む、請求項１又は２に記載の使用。
【請求項４】
前記経口用組成物は、乾燥重量の少なくとも１０％を占めるメラニン含有生物源から単離若しくは誘導されたメラニン、又は乾燥重量で少なくとも１０％のメラニンを含むメラニン含有生物源を含む、請求項１〜３のいずれか一項に記載の使用。
【請求項５】
前記生物源がメラニンを含有する植物、細胞、真菌又は微生物である、請求項４に記載の使用。
【請求項６】
前記生物源をメラニン前駆体の存在下で成長させる、請求項４又は５に記載の使用。
【請求項７】
前記メラニン前駆体が、Ｌ−ドーパ（３，４−ジヒドロキシフェニルアラニン）、Ｄ−ドーパ、カテコール、５−ヒドロキシインドール、チラミン、ドーパミン、チロシン、システイン、ｍ−アミノフェノール、ｏ−アミノフェノール、ｐ−アミノフェノール、４−アミノカテコール、２−ヒドロキシル−１，４−ナフタキノン、４−メチルカテコール、３，４−ジヒドロキシナフタレン、没食子酸、レゾルシノール、２−クロロアニリン、ｐ−クロロアニソール、２−アミノ−ｐ−クレゾール、４，５−ジヒドロキシナフタレン、１，８−ジヒドロキシナフタレン、２，７−ジスルホン酸、ｏ−クレゾール、ｍ−クレゾール及びｐ−クレゾールの１つ又は複数である、請求項６に記載の使用。
【請求項８】
前記真菌がメラニン含有キノコである、請求項５〜７のいずれか一項に記載の使用。
【請求項９】
前記真菌がアウリクラリア・アウリクラ・ユダエである、請求項８に記載の使用。
【請求項１０】
前記経口用組成物が、前記被験体の体重１ｋｇ当たり少なくとも８０ｍｇの食用物質中でメラニンを含む、請求項３〜９のいずれか一項に記載の使用。
【請求項１１】
前記経口用組成物が、前記被験体の体重１ｋｇ当たり少なくとも８０ｍｇの乾燥キノコとしてメラニンを含む、請求項１０に記載の使用。
【請求項１２】
前記被験体の内臓器官が放射線から防護される、請求項１〜１１のいずれか一項に記載の使用。
【請求項１３】
前記防護される器官が、骨髄、肝臓、脾臓、腎臓、肺及び胃腸管からなる群から選択される１つ又は複数の器官である、請求項１２に記載の使用。
【請求項１４】
前記放射線に関連する副作用が急性悪心、嘔吐、腹痛、下痢、眩暈、頭痛、発熱、皮膚放射線症候群、低血球数、白血球減少による感染、血小板減少による出血、赤血球減少による貧血、又は死亡の１つ又は複数である、請求項１〜１３のいずれか一項に記載の使用。
【請求項１５】
放射線への曝露後の前記被験体の生存可能性が増大する、請求項１又は３〜１４のいずれか一項に記載の使用。
【請求項１６】
前記被験体が受ける放射線量が、放射線防護の非存在下で該被験体にとって致死的である、請求項１又は３〜１５のいずれか一項に記載の使用。
【請求項１７】
前記放射線が電離放射線を含む、請求項１〜１６のいずれか一項に記載の使用。
【請求項１８】
前記放射線がγ放射線、ｘ線放射線、太陽放射線、宇宙放射線、電磁放射線、制動放射線、紫外放射線及び微粒子放射線の１つ又は複数を含む、請求項１７に記載の使用。
【請求項１９】
前記放射線が人為的な放射線源に由来する、請求項１〜１８のいずれか一項に記載の使用。
【請求項２０】
前記放射線源が、疾患の治療に用いられるラジオセラピー、医療用撮像装置からの放射線、放射線手術、核兵器、原子炉に用いられる放射線、高空放射線である、請求項１〜１９のいずれか一項に記載の使用。
【請求項２１】
前記放射線源が原子力発電所によるものである、請求項２０に記載の使用。
【請求項２２】
前記食用メラニン源が、前記被験体の放射線への曝露に関連する１つ又は複数の副作用を軽減及び／又は予防するための該被験体への経口投与用にパッケージングされた飲用メラニン懸濁液を含み、該飲用メラニン懸濁液が少なくとも１０ｍＬの容量中に少なくとも５００ｍｇのメラニンを含む、請求項１〜２１のいずれか一項に記載の使用。
【請求項２３】
前記経口用組成物が、１つ又は複数の抗生物質と組み合わせて使用される、請求項１〜２２のいずれか一項に記載の使用。
【請求項２４】
被験体の放射線への曝露に関連する１つ又は複数の副作用を軽減及び／又は予防するための該被験体への経口投与用にパッケージングされた食用メラニン源であって、該被験体の体重１ｋｇ当たり少なくとも８ｍｇの精製メラニンに相当する量のメラニンを供給する、食用メラニン源。
【請求項２５】
被験体の放射線への曝露に関連する１つ又は複数の副作用を軽減及び／又は予防するための該被験体への経口投与用にパッケージングされた飲用メラニン懸濁液であって、少なくとも１０ｍＬの容量中に少なくとも５００ｍｇのメラニンを含む、飲用メラニン懸濁液。
【請求項２６】
少なくとも１００ｍＬの容量中に少なくとも５００ｍｇのメラニンを含む、請求項２５に記載の飲用メラニン懸濁液。
【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
（ｉ）ＣＤ４４Ｖ１０アミノ酸配列の少なくとも３個のアミノ酸および前記ＣＤ４４Ｖ１０アミノ酸配列の２０個以下のアミノ酸、または
（ｉｉ）ＣＤ４４Ｖ６アミノ酸配列の少なくとも３個のアミノ酸および前記ＣＤ４４Ｖ６アミノ酸配列の２０個以下のアミノ酸を含む、神経保護活性を含む単離ペプチドであって、
前記単離ペプチドが前記（ｉ）のアミノ酸を含む場合、前記単離ペプチドは配列番号：４９または５０に記載のアミノ酸配列からはならず、
前記単離ペプチドが前記（ｉｉ）のアミノ酸を含む場合、前記ペプチドは配列番号：１、５１または５２に記載のアミノ酸配列からはならない、単離ペプチド。
【請求項２】
（ｉ）ＣＤ４４Ｖ１０アミノ酸配列の少なくとも３個のアミノ酸および前記ＣＤ４４Ｖ１０アミノ酸配列の１００個以下のアミノ酸、または
（ｉｉ）ＣＤ４４Ｖ６アミノ酸配列の少なくとも３個のアミノ酸および前記ＣＤ４４Ｖ６アミノ酸配列の１００個以下のアミノ酸を含む、神経保護活性を含む作用薬としての単離ペプチドと、
薬学的に有効な担体と、含む医薬組成物。
【請求項３】
（ｉ）ＣＤ４４Ｖ１０アミノ酸配列の少なくとも３個のアミノ酸および前記ＣＤ４４Ｖ１０アミノ酸配列の１００個以下のアミノ酸、または
（ｉｉ）ＣＤ４４Ｖ６アミノ酸配列の少なくとも３個のアミノ酸および前記ＣＤ４４Ｖ６アミノ酸配列の１００個以下のアミノ酸を含み、かつ神経保護活性を含む、神経変性疾患の治療に使用される、単離ペプチド。
【請求項４】
前記（ｉ）のペプチドが、式１：
Ｘ１−Ｇ−Ｙ−Ｔ−Ｓ
（式中、Ｘ１はグルタミン酸またはグルタミンのいずれかである）
のアミノ酸配列を含み、
前記（ｉｉ）のペプチドがコア配列Ｘ１−Ｘ２−Ｓ−Ｈ（式中、Ｘ１およびＸ２が酸性アミノ酸である）を含む、請求項１または３に記載の単離ペプチドまたは請求項２に記載の医薬組成物。
【請求項５】
前記単離ペプチドが、配列番号：２６、４５または４６に記載のペプチドである、請求項４に記載の単離ペプチドまたは医薬組成物。
【請求項６】
前記ＣＤ４４Ｖ１０アミノ酸配列がヒトＣＤ４４Ｖ１０アミノ酸配列であり、前記ＣＤ４４Ｖ６アミノ酸配列がヒトＣＤ４４Ｖ６アミノ酸配列である、請求項１または３に記載の単離ペプチドまたは請求項２に記載の医薬組成物。
【請求項７】
前記（ｉｉ）のペプチドのＸ１がグルタミン酸を含む、請求項４に記載の単離ペプチドまたは医薬組成物。
【請求項８】
前記（ｉｉ）のペプチドのＸ２がアスパラギン酸を含む、請求項４に記載の単離ペプチドまたは医薬組成物。
【請求項９】
前記ペプチドが、配列番号：２〜７，８〜１５、１６、１７、１８〜４５または４６に記載のアミノ酸配列を含む、請求項１または３に記載の単離ペプチドまたは請求項２に記載の医薬組成物。
【請求項１０】
前記ペプチドが、配列番号：４９または５０に記載のアミノ酸配列を含む、請求項３に記載の単離ペプチド。
【請求項１１】
前記神経変性疾患が、パーキンソン病、多発性硬化症、ＡＬＳ、多系統萎縮症、アルツハイマー病、脳卒中、外傷性脳損傷、進行性核上麻痺、第１７番染色体に連鎖するパーキンソン症候群を伴う前頭側頭型認知症およびピック病からなる群から選択される、請求項１または３に記載の単離ペプチド。
【請求項１２】
前記ペプチドが、配列番号：１２、１５、１７、１９、２４、２６、３１、３２、３４、３６〜３８、４３〜４６からなる群から選択されるアミノ酸配列を含む、請求項１１に記載の単離ペプチド。
【請求項１３】
前記単離ペプチドが、細胞透過剤に結合されている、請求項１〜１２のいずれか１項に記載の単離ペプチドまたは医薬組成物。
【請求項１４】
前記単離ペプチドが２０個以下のアミノ酸である、請求項１〜１２のいずれか１項に記載の単離ペプチドまたは医薬組成物。
【請求項１５】
皮下投与または鼻腔内投与用に製剤化される、請求項１に記載の単離ペプチド。
【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
ａ．バルプロ酸又はバルプロ酸セミナトリウム、バルプロ酸ナトリウム若しくはバルプロ酸マグネシウムからなる群から選択されたヒストン脱アセチル化酵素（ＨＤＡＣ）阻害剤、その薬学的に許容される酸若しくは塩又はその混合物、及び
ｂ．びまん性大細胞型Ｂ細胞リンパ腫（ＤＬＢＣＬ）、濾胞性リンパ腫、慢性リンパ性白血病、Ｔ細胞リンパ腫、骨髄腫及びホジキンリンパ腫からなる群から選択される疾患の前処置のためのプレドニゾン、プレドニゾロン、デキサメタゾン又はベタメタゾンからなる群から選択されたステロイド又はその薬学的に許容される塩
を含むことを特徴とする医薬組成物。
【請求項２】
請求項１に記載の医薬組成物において、前記ＨＤＡＣ阻害剤がバルプロ酸であり、前記ステロイドがプレドニゾンであることを特徴とする医薬組成物。
【請求項３】
請求項１又は２に記載の組成物において、前記物質ａ）及びｂ）が粒剤、散剤、錠剤、被覆錠剤、マイクロカプセル剤、微粒剤又は発泡性の各形態であることを特徴とする組成物。
【請求項４】
請求項３に記載の組成物において、前記物質ａ）及びｂ）が錠剤の形態であることを特徴とする組成物。
【請求項５】
請求項１又は２に記載の組成物において、前記物質ａ）及びｂ）が器具に含まれており、当該器具が、バイアル、アンプル、パウチ又は注入バッグからなる群から選択されることを特徴とする組成物。
【請求項６】
請求項１又は２に記載の組成物において、前記物質ａ）及びｂ）がキットに含まれており、当該物質ａ）及びｂ）が個別の容器及び／又はパッケージに、使用説明書と共に含まれていることを特徴とする組成物。
【請求項７】
請求項６に記載の組成物において、前記キットがＣＤ２０に結合する抗体、モノクローナル抗体又はその機能性断片を更に含むことを特徴とする組成物。
【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
式（１）：
【化９】
2014510149.tif 000001
（式中、
（ａ）Ｚ１、Ｚ２、およびＺ３の各々は、独立してＣＨまたはＮであり；
（ｂ）ＹはＳであり；
（ｃ）ＸａおよびＸｂは、Ｏであり；
（ｄ）Ｘｃは、−ＣＨ２−であり；
（ｅ）Ｘ２は、−ＮＲ１Ｒ２であり、ここでＲ１およびＲ２は、それぞれ独立して、Ｈ、Ｃ１〜Ｃ６アルキル、Ｃ２〜Ｃ６アルケニル、Ｃ２〜Ｃ６アルキニル、シクロアルキル、ヘテロアルキル、ヘテロシクロアルキル、アリール、ヘテロアリール、アルキルアリール、アリールアルキル、アルキルヘテロアリール、ヘテロアリールアルキル、またはアルキルヘテロアリールアルキルであり；
（ｆ）Ｘ４は、水素またはハロゲンであり；そして
（ｇ）Ｒは、Ｒ１０−ＮＨ−Ｒ１１であり、ここでＲ１０は、エチレンまたはプロピレンであり、Ｒ１１は、分枝鎖状アルキルである）
の化合物、またはその薬学的に受容可能な塩。
【請求項２】
Ｘ２は、ジメチルアミンである、請求項１に記載の化合物、またはその薬学的に受容可能な塩。
【請求項３】
Ｒ１１は、ネオペンチルである、請求項１もしくは２に記載の化合物、またはその薬学的に受容可能な塩。
【請求項４】
Ｒ１１は、イソプロピルである、請求項１もしくは２に記載の化合物、またはその薬学的に受容可能な塩。
【請求項５】
Ｒ１１は、ｔ−ブチルである、請求項１もしくは２に記載の化合物、またはその薬学的に受容可能な塩。
【請求項６】
Ｚ１、Ｚ２、およびＺ３は、それぞれＮである、請求項１〜５のうちのいずれか１項に記載の化合物、またはその薬学的に受容可能な塩。
【請求項７】
Ｚ１、Ｚ２、およびＺ３は、それぞれＮであり、Ｘ２はジメチルアミンであり、ＹはＳであり、Ｒ１０はエチレンであり、Ｒ１１はネオペンチルであり、Ｘ４はＨである、請求項１に記載の化合物、またはその薬学的に受容可能な塩。
【請求項８】
Ｚ１、Ｚ２、およびＺ３は、それぞれＮであり、Ｘ２はジメチルアミンであり、ＹはＳであり、Ｒ１０はプロピレンであり、Ｒ１１はイソプロピルであり、Ｘ４はＨである、請求項１に記載の化合物、またはその薬学的に受容可能な塩。
【請求項９】
Ｚ１、Ｚ２、およびＺ３は、それぞれＮであり、Ｘ２はジメチルアミンであり、ＹはＳであり、Ｒ１０はプロピレンであり、Ｒ１１はｔ−ブチルであり、Ｘ４はＨである、請求項１に記載の化合物、またはその薬学的に受容可能な塩。
【請求項１０】
請求項１〜９のいずれか１項に記載の化合物またはその薬学的に受容可能な塩、および薬学的に受容可能なキャリアを含む薬学的組成物。
【請求項１１】
がん、または神経変性障害を、処置または予防するための組成物であって、治療上有効な量の、請求項１〜９のいずれか１項に記載の化合物、またはその薬学的に受容可能な塩を含む、組成物。
【請求項１２】
がん、または神経変性障害の処置または予防のための薬学的組成物を製剤化することにおける、請求項１〜９のいずれか１項に記載の化合物、またはその薬学的に受容可能な塩の使用。
【請求項１３】
Ｈｓｐ９０を阻害するための方法であって、Ｈｓｐ９０の機能を阻害する量の、請求項１〜９のいずれか１項に記載の化合物、またはその薬学的に受容可能な塩を含む、組成物。
【請求項１４】
Ｈｓｐ９０の阻害のための薬学的組成物を製剤化することにおける、請求項１〜９のいずれか１項に記載の化合物、またはその薬学的に受容可能な塩の使用。
【手続補正２】
【補正対象書類名】明細書
【補正対象項目名】００１５
【補正方法】変更
【補正の内容】
【００１５】
上記化合物は、Ｈｓｐ９０阻害物質としてのそれらの活性を通して、がん、および神経変性（ｎｅｕｒｏｄｅｇｅｎｅｒａｔｉｖｅｒ）疾患の処置のための薬学的組成物において有用であり、がん、または神経変性疾患を処置する方法において使用され得る。
本発明の好ましい実施形態において、例えば以下の項目が提供される。
（項目１）
式（１）：
【化９】
2014510149.tif 000002
（式中、
（ａ）Ｚ１、Ｚ２、およびＺ３の各々は、独立してＣＨまたはＮであり；
（ｂ）ＹはＳであり；
（ｃ）ＸａおよびＸｂは、Ｏであり；
（ｄ）Ｘｃは、−ＣＨ２−であり；
（ｅ）Ｘ２は、−ＮＲ１Ｒ２であり、ここでＲ１およびＲ２は、それぞれ独立して、Ｈ、Ｃ１〜Ｃ６アルキル、Ｃ２〜Ｃ６アルケニル、Ｃ２〜Ｃ６アルキニル、シクロアルキル、ヘテロアルキル、ヘテロシクロアルキル、アリール、ヘテロアリール、アルキルアリール、アリールアルキル、アルキルヘテロアリール、ヘテロアリールアルキル、またはアルキルヘテロアリールアルキルであり；
（ｆ）Ｘ４は、水素またはハロゲンであり；そして
（ｇ）Ｒは、Ｒ１０−ＮＨ−Ｒ１１であり、ここでＲ１０は、エチレンまたはプロピレンであり、Ｒ１１は、分枝鎖状アルキルである）
の化合物、またはその薬学的に受容可能な塩。
（項目２）
Ｘ２は、ジメチルアミンである、項目１に記載の化合物、またはその薬学的に受容可能な塩。
（項目３）
Ｒ１１は、ネオペンチルである、項目１もしくは２に記載の化合物、またはその薬学的に受容可能な塩。
（項目４）
Ｒ１１は、イソプロピルである、項目１もしくは２に記載の化合物、またはその薬学的に受容可能な塩。
（項目５）
Ｒ１１は、ｔ−ブチルである、項目１もしくは２に記載の化合物、またはその薬学的に受容可能な塩。
（項目６）
Ｚ１、Ｚ２、およびＺ３は、それぞれＮである、項目１〜５のうちのいずれか１項に記載の化合物、またはその薬学的に受容可能な塩。
（項目７）
Ｚ１、Ｚ２、およびＺ３は、それぞれＮであり、Ｘ２はジメチルアミンであり、ＹはＳであり、Ｒ１０はエチレンであり、Ｒ１１はネオペンチルであり、Ｘ４はＨである、項目１に記載の化合物、またはその薬学的に受容可能な塩。
（項目８）
Ｚ１、Ｚ２、およびＺ３は、それぞれＮであり、Ｘ２はジメチルアミンであり、ＹはＳであり、Ｒ１０はプロピレンであり、Ｒ１１はイソプロピルであり、Ｘ４はＨである、項目１に記載の化合物、またはその薬学的に受容可能な塩。
（項目９）
Ｚ１、Ｚ２、およびＺ３は、それぞれＮであり、Ｘ２はジメチルアミンであり、ＹはＳであり、Ｒ１０はプロピレンであり、Ｒ１１はｔ−ブチルであり、Ｘ４はＨである、項目１に記載の化合物、またはその薬学的に受容可能な塩。
（項目１０）
項目１〜９のいずれか１項に記載の化合物またはその薬学的に受容可能な塩、および薬学的に受容可能なキャリアを含む薬学的組成物。
（項目１１）
がん、または神経変性障害を、処置または予防するための方法であって、該方法は、治療上有効な量の、項目１〜９のいずれか１項に記載の化合物を、それを必要としている患者に投与することを含む、方法。
（項目１２）
がん、または神経変性障害の処置または予防のための薬学的組成物を製剤化することにおける、項目１〜９のいずれか１項に記載の化合物の使用。
（項目１３）
Ｈｓｐ９０の阻害のための方法であって、該方法は、Ｈｓｐ９０を、Ｈｓｐ９０の機能を阻害する量の、項目１〜９のいずれか１項に記載の化合物に接触させることを含む、方法。
（項目１４）
Ｈｓｐ９０の阻害のための薬学的組成物を製剤化することにおける、項目１〜９のいずれか１項に記載の化合物の使用。
【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
対象における放射線により誘導される組織傷害の処置のための組成物であって、
殺菌性／透過性増強タンパク質（ＢＰＩ）および／またはその同類物を含み、任意に組織傷害が造血組織傷害を含む、前記組成物。
【請求項２】
放射線により誘導される組織傷害が、偶発的な放射線への暴露、化学放射線療法または放射線療法から生じる、請求項１に記載の組成物。
【請求項３】
ＢＰＩおよび／またはその同類物が、（ｉ）対象の放射線への暴露の１日前〜２日後または（ｉｉ）放射線暴露の後４８時間以内に投与される、請求項１または２に記載の組成物。
【請求項４】
対象における損傷した骨髄の処置のための組成物であって、殺菌性／透過性増強タンパク質（ＢＰＩ）および／またはその同類物を含む、前記組成物。
【請求項５】
対象が、
（ｉ）１または２以上の造血細胞の型または系統の欠乏、ここで任意に、１または２以上の造血細胞の型または系統の欠乏が、放射線への暴露、化学放射線療法、放射線療法、疾患、毒素または薬物または生物により媒介される治療から生じる、または
（ｉｉ）リンパ球減少症、骨髄球減少症、白血球減少症、好中球減少症、赤血球減少症、巨核球減少症、血小板の欠乏、単球の欠乏、リンパ球の欠乏、赤血球の欠乏、好中球の欠乏、Ｔ細胞の欠乏、顆粒球の欠乏、および／または樹状細胞の欠乏を含む造血の欠乏、
を有する、請求項４に記載の組成物。
【請求項６】
ＢＰＩ同類物が、ｒＢＰＩ２１、ｒＢＰＩ２３、ｒＢＰＩ５０、ｒＢＰＩ（１０−１９３）ａｌａ１３２および約２０〜２５ｋＤの分子量を有するＢＰＩのＮ末端フラグメントからなる群より選択される、請求項１〜５のいずれか一項に記載の組成物。
【請求項７】
抗生物質をさらに含み、ここで任意に、抗生物質がキノロン系抗生物質である、請求項１〜６のいずれか一項に記載の組成物。
【請求項８】
キノロン系抗生物質が、モキシフロキサシン、シプロフロキサシン、レボフロキサシン、ガレノキサシンおよびデラフロキサシンからなる群より選択される、請求項７に記載の組成物。
【請求項９】
ＢＰＩおよび／またはその同類物が、経口、静脈内、または皮下投与される、請求項１〜８のいずれか一項に記載の組成物。
【手続補正書】
【提出日】平成27年3月4日(2015.3.4)
【手続補正１】
【補正対象書類名】特許請求の範囲
【補正対象項目名】全文
【補正方法】変更
【補正の内容】
【特許請求の範囲】
【請求項１】
全身性硬化症に続発するレイノー病またはレイノー現象の治療における使用のための、プロスタグランジンＥ１化合物を含む局所医薬組成物であって、
前記組成物は、罹患した身体部位の表面に局所的に投与される、
局所医薬組成物。
【請求項２】
前記組成物が、
プロスタグランジンＥ１、プロスタグランジンＥ１のＣ１〜Ｃ４エステルおよびその薬学的に許容される塩からなる群より選択される、半固形のプロスタグランジンＥ１化合物と、
多糖ゴム、化学修飾した多糖ゴムから選択される増粘剤と、
Ｎ，Ｎ−ジ（Ｃ１〜Ｃ８）アルキルアミノ置換（Ｃ４〜Ｃ１８）アルキル（Ｃ２〜Ｃ１８）カルボン酸エステルおよびその薬学的に許容される酸付加塩から選択される皮膚浸透促進剤と、
（Ｃ１〜Ｃ４）−アルキル（Ｃ８〜Ｃ２２）カルボン酸エステルと
を含む、請求項１に記載の使用のための局所組成物。
【請求項３】
前記Ｎ，Ｎ−ジ（Ｃ１〜Ｃ８）アルキルアミノ置換（Ｃ４〜Ｃ１８）アルキル（Ｃ２〜Ｃ１８）カルボン酸エステルが、ドデシル−２−（Ｎ，Ｎ−ジメチルアミノ）−プロピオナート、ドデシル−２−（Ｎ，Ｎ−ジメチルアミノ）−アセタート、１−（Ｎ，Ｎ−ジメチルアミノ）−２−プロピルドデカノアート、１−（Ｎ，Ｎ−ジメチルアミノ）−２−プロピルミリスタート、１−（Ｎ，Ｎ−ジメチルアミノ）−２−プロピルオレアートおよびその薬学的に許容される酸付加塩からなる群より選択される、請求項２に記載の使用のための局所組成物。
【請求項４】
単位用量容器または組成物で提供される、請求項１に記載の使用のための局所組成物。
【請求項５】
レイノー病またはレイノー現象の特徴である血管攣縮の誘発または悪化を避けるための請求項１に記載の使用のための局所組成物であって、前記組成物が室温になっている、請求項１に記載の使用のための局所組成物。
【請求項６】
前記罹患した身体部位の表面に投与されるプロスタグランジンＥ１化合物の総１日量が０．５ｍｇ〜５．７ｍｇである、請求項１に記載の使用のための局所組成物。
【請求項７】
レイノー病またはレイノー現象に罹患した身体部位の表面への投与が、１２〜２４時間にわたって別々に投与するレジメンで投与される、２〜４つの用量に分割されたプロスタグランジンＥ１化合物の総１日量０．５ｍｇ〜５．７ｍｇを含む、局所半固形組成物。
【請求項８】
１日に３用量適用することを含む、請求項７に記載の使用のための組成物。
【請求項９】
前記半固形組成物が、Ｎ，Ｎ−ジ（Ｃ１〜Ｃ８）アルキルアミノ置換（Ｃ４〜Ｃ１８）アルキル（Ｃ２〜Ｃ１８）カルボン酸エステルおよびその薬学的に許容される酸付加塩から選択される皮膚浸透促進剤と、
（Ｃ１〜Ｃ４）−アルキル（Ｃ８〜Ｃ２２）カルボン酸エステルと
をさらに含む、請求項７に記載の局所半固形組成物。
【請求項１０】
前記半固形組成物が、多糖ガム、化学修飾多糖ガムから選択される増粘剤をさらに含む、請求項７に記載の局所半固形組成物。
【請求項１１】
前記組成物が、室温で保管される、請求項７に記載の局所半固形組成物。
【請求項１２】
前記組成物が、２つの部分からなる単位用量容器で提供される、請求項７に記載の局所半固形組成物。
【請求項１３】
Ｎ，Ｎ−ジ（Ｃ１〜Ｃ８）アルキルアミノ置換（Ｃ４〜Ｃ１８）アルキル（Ｃ２〜Ｃ１８）カルボン酸エステルが、ドデシル−２−（Ｎ，Ｎ−ジメチルアミノ）−プロピオナート、ドデシル−２−（Ｎ，Ｎ−ジメチルアミノ）−アセタート、１−（Ｎ，Ｎ−ジメチルアミノ）−２−プロピルドデカノアート、１−（Ｎ，Ｎ−ジメチルアミノ）−２−プロピルミリスタート、１−（Ｎ，Ｎ−ジメチルアミノ）−２−プロピルオレアートおよびその薬学的に許容される酸付加塩からなる群より選択される、請求項７に記載の局所半固形組成物。
【請求項１４】
０．０２５重量％〜４０重量％の、多糖ガム、化学修飾多糖ガムから選択される増粘剤と、
０．０２５重量％〜１０重量％の、プロスタグランジンＥ１、プロスタグランジンＥ１のＣ１〜Ｃ４エステルおよびその薬学的に許容される塩からなる群より選択される半固形のプロスタグランジンＥ１化合物と、
０．０２５重量％〜４０重量％の、Ｎ，Ｎ−ジ（Ｃ１〜Ｃ８）アルキルアミノ置換（Ｃ４〜Ｃ１８）アルキル（Ｃ２〜Ｃ１８）カルボン酸エステルおよびその薬学的に許容される酸付加塩から選択される皮膚浸透促進剤と、
０．０２５重量％〜４０重量％の、（Ｃ１〜Ｃ４）−アルキル（Ｃ８〜Ｃ２２）カルボン酸エステルと、
を含む、請求項１３に記載の半固形組成物。
【請求項１５】
局所的なレイノー現象の治療のための使用のためのプロスタグランジンＥ１化合物を含む、半固形組成物であって、前記レイノー現象は、全身性硬化症を続発し、総１日量は、１〜４つの用量に分割され、前記総１日量は、１２〜２４時間にわたって１つまたそれ以上投与するレジメンで投与される、半固形組成物。
【請求項１６】
前記プロスタグランジンＥ１化合物の総１日量が０．９４５ｍｇ〜５．７ｍｇである、請求項１、７、または１５のいずれかに記載の組成物。
【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
インフルエンザ感染の処置のために、その処置を必要とする対象者へ使用するための、オバトクラックスメシレート、ゲムシタビン、ドセタキセル、ＨＡ−１４、アルステルパウロン、ＧＳＫ３ベータ阻害剤ＶＩＩＩ、ＧＳＫ３ベータ阻害剤ＸＶ、インジルビン−３’−モノオキシム、還元型Ｌ−グルタチオン、フルオシノロンアセトニド、チロフィバン、塩酸トポテカン、クロファラビン、ビンブラスチン、メナジオン結晶、およびそれらの誘導体または類似体からなる群より選択した化合物を含む医薬組成物。
【請求項２】
請求項１に記載の医薬組成物であって、
前記化合物は、オバトクラックスメシレートである医薬組成物。
【請求項３】
請求項１又は２に記載の医薬組成物であって、
Ａ型インフルエンザウイルス感染の処置のために、その処置を必要とする対象者へ使用するための医薬組成物。
【請求項４】
請求項３に記載の医薬組成物であって、
前記Ａ型インフルエンザウイルスは、Ｈ１Ｎ１、Ｈ２Ｎ２、Ｈ３Ｎ２及びＨ５Ｎ１からなる群より選択される医薬組成物。
【請求項５】
請求項１〜４のいずれか１項に記載の医薬組成物であって、
前記対象者は、ヒトである医薬組成物。
【請求項６】
請求項５に記載の医薬組成物であって、
前記対象者は、ヒトの乳幼児、ヒトの子供又はヒトの高齢者である医薬組成物。
【請求項７】
請求項１〜６のいずれか１項に記載の医薬組成物であって、
前記オバトクラックスメシレートは、ノイラミニダーゼ阻害剤、Ｍ２阻害剤、ＲＮＡポリメラーゼ阻害剤、インターフェロン、インフルエンザワクチン、インフルエンザ抗原ポリペプチド、及びインフルエンザ抗原ポリペプチドに対する中和抗体からなる群より選択される追加の治療薬と組み合わせられる医薬組成物。
【請求項８】
請求項２〜６のいずれか１項に記載の医薬組成物であって、
前記オバトクラックスメシレートは、ゲムシタビン、ドセタキセル、ＨＡ−１４、アルステルパウロン、ＧＳＫ３ベータ阻害剤ＶＩＩＩ、ＧＳＫ３ベータ阻害剤ＸＶ、インジルビン−３’−モノオキシム、還元型Ｌ−グルタチオン、フルオシノロンアセトニド、チロフィバン、塩酸トポテカン、クロファラビン、ビンブラスチン、及びメナジオン結晶からなる群より選択される化合物の有効量と組み合わせられる医薬組成物。
【請求項９】
請求項１〜８のいずれか１項に記載の医薬組成物であって、
気道に投与するための医薬組成物。
【手続補正書】
【提出日】平成27年2月3日(2015.2.3)
【手続補正１】
【補正対象書類名】明細書
【補正対象項目名】０１６３
【補正方法】変更
【補正の内容】
【０１６３】
抽出油の一部を、低温アセトンを使用して抽出油と溶媒との比を１：１．５として脱ガム処理した。アセトン脱ガム処理油は、８８０ｍｇのエルゴステロール／油１００ｇおよび７４．５ｐｐｍのリンを含有した。
ＳＰＤ条件下での蒸留
アセトン脱ガム処理油を、実施例１Ｂの方法論に従って短行程蒸留に供した（但し、蒸発器温度を２５５℃に設定した）。第１の通過の間に蒸留物はほぼ回収されなかった。それというのも、アセトン脱ガム処理油中にほとんど水が存在しなかったためである。第２の通過の間、約１２重量％の蒸留物が回収された。トリアシルグリセロール含有画分（すなわち、ＳＰＤ精製油）の最終エルゴステロールレベルは、１０６ｍｇ／１００ｇ（アセトン脱ガム処理油のエルゴステロール含有率と比較してエルゴステロール含有率の約８８％の低減）であり；ＳＰＤ精製油は、６６ｐｐｍのリンを含有した。
【手続補正２】
【補正対象書類名】明細書
【補正対象項目名】０１６４
【補正方法】変更
【補正の内容】
【０１６４】
以上、本発明を要約すると下記のとおりである。
１．ステロール含有微生物油組成物中のステロールの量を低減させる方法であって、
ａ）短行程蒸留条件下で、ステロール含有微生物油を少なくとも１回蒸留することであって、前記油は、
（ｉ）１つ以上の多価不飽和脂肪酸を含むトリアシルグリセロール；および、
（ｉｉ）少なくとも３００ｍｇ／油１００ｇのステロール画分；
を含み、
前記蒸留は、前記ステロールを含む蒸留物画分および短行程蒸留に供されていない前記ステロール含有微生物油組成物中のステロールの量と比較して低減した量のステロールを有するトリアシルグリセロール含有画分を生成すること；および
ｂ）場合により、前記トリアシルグリセロール含有画分を回収すること
を含む方法。
２．前記短行程蒸留条件が、３０ｍＴｏｒｒ以下の真空レベルおよび３００℃以下の温度
におけるステロール含有微生物油の少なくとも１回の通過を含む、上記１に記載の方法。３．前記ステロール画分が、スチグマステロール、エルゴステロール、ブラシカステロール、カンペステロール、β−シトステロールおよびデスモステロールからなる群から選択される１つ以上のステロールを含む、上記１に記載の方法。
４．前記ステロール画分が、エルゴステロールを含む、上記３に記載の方法。
５．前記トリアシルグリセロール含有画分中のステロールの量の低減が、前記ステロール含有微生物油組成物中のステロールの量と比較して少なくとも４０％である、上記１に記載の方法。
６．低減したステロール画分を有する前記トリアシルグリセロール含有画分が、短行程蒸留に供されていない前記ステロール含有微生物油組成物と比較して改善された澄明性を有する、上記１に記載の方法。
７．前記温度が、２８０℃以下である、上記２に記載の方法。
８．前記ステロール含有微生物油組成物が、誘導結合プラズマ発光分光法により測定して２０ｐｐｍ未満のリンを有するリファインド脂質組成物である、上記１に記載の方法。
９．前記ステロール含有微生物油組成物を、酵母、藻類、ユーグレナ類、ストラメノパイル菌類、またはそれらの混合物から得る、上記１に記載の方法。
１０．前記ステロール含有微生物油組成物を、モルティエレラ（Ｍｏｒｔｉｅｒｅｌｌａ）、ヤブレツボカビ（Ｔｈｒａｕｓｔｏｃｈｙｔｒｉｕｍ）、シゾキトリウム（Ｓｃｈｉｚｏｃｈｙｔｒｉｕｍ）、ヤロウィア（Ｙａｒｒｏｗｉａ）、カンジダ（Ｃａｎｄｉｄａ）、ロドトルラ（Ｒｈｏｄｏｔｏｒｕｌａ）、ロドスポリジウム（Ｒｈｏｄｏｓｐｏｒｉｄｉｕｍ）、クリプトコッカス（Ｃｒｙｐｔｏｃｏｃｃｕｓ）、トリコスポロン（Ｔｒｉｃｈｏｓｐｏｒｏｎ）、およびリポマイセス（Ｌｉｐｏｍｙｃｅｓ）からなる群から選択される属からの油性微生物から得る、上記９に記載の方法。
１１．前記ステロール含有微生物油組成物を、組換えヤロウィア（Ｙａｒｒｏｗｉａ）細胞の微生物バイオマスから得る、上記１０に記載の方法。
１２．前記組換えヤロウィア（Ｙａｒｒｏｗｉａ）細胞が、リノール酸、γ−リノレン酸、エイコサジエン酸、ジホモ−γ−リノレン酸、アラキドン酸、ドコサテトラエン酸、ω−６ドコサペンタエン酸、α−リノレン酸、ステアリドン酸、エイコサトリエン酸、エイコサテトラエン酸、ω−３ドコサペンタエン酸、ドコサヘキサエン酸、エイコサペンタエン酸、およびそれらの混合物からなる群から選択される少なくとも１つの多価不飽和脂肪酸の生成について遺伝子操作されている、上記１１に記載の方法。
１３．前記蒸留が、前記微生物油組成物の２回以上の連続短行程蒸留を含む、上記１に記載の方法。
１４．それぞれの連続短行程蒸留が、直前の短行程蒸留よりも高い温度におけるものである、上記１３に記載の方法。
【手続補正３】
【補正対象書類名】特許請求の範囲
【補正対象項目名】全文
【補正方法】変更
【補正の内容】
【特許請求の範囲】
【請求項１】
ステロール含有微生物油組成物中のステロールの量を低減させる方法であって、
ａ）短行程蒸留条件下で、ステロール含有微生物油を少なくとも１回蒸留することであって、前記油は、
（ｉ）１つ以上の多価不飽和脂肪酸を含むトリアシルグリセロール；および、
（ii）少なくとも３００ｍｇ／油１００ｇのステロール画分；
を含み、
前記蒸留は、前記ステロールを含む蒸留物画分および短行程蒸留に供されていない前記ステロール含有微生物油組成物中のステロールの量と比較して低減した量のステロールを
有するトリアシルグリセロール含有画分を生成すること；および
ｂ）場合により、前記トリアシルグリセロール含有画分を回収すること
を含む方法。
【手続補正書】
【提出日】平成27年1月23日(2015.1.23)
【手続補正１】
【補正対象書類名】特許請求の範囲
【補正対象項目名】全文
【補正方法】変更
【補正の内容】
【特許請求の範囲】
【請求項１】
電気活性材料およびバインダーを有する複合電極材料であって、
a  前記電気活性材料は、シリコン、スズ、グラファイト、ハードカーボン、ガリウム、ゲルマニウム、電気活性セラミック材料、遷移金属酸化物、カルコニド、またはこれらの電気活性材料の1もしくは2以上で構成された構造の1または2以上を含み、
b  前記バインダーは、
（i）マレイン酸およびマレイン酸誘導体から選定された、20から100%のモノマー単位、および
（ii）アクリル酸またはアクリル酸誘導体から選定された、0から80%のモノマー単位
からなるポリマーの金属イオン塩を有し、
前記金属イオンは、ナトリウムおよびカリウムの一つまたは両方から選択され、ただし、ポリ（マレイン酸−ｃｏ−アクリル酸）ナトリウムを除くことを特徴とする複合電極材料。
【請求項２】
前記塩の形成度は、40から80%であることを特徴とする請求項1に記載の複合電極材料。
【請求項３】
前記マレイン酸モノマー単位は、エチレンマレイン酸単位であることを特徴とする請求項2に記載の複合電極材料。
【請求項４】
前記バインダーは、破壊までに、その元の長さの最大5倍まで延伸可能であることを特徴とする請求項1乃至3のいずれか一つに記載の複合電極材料。
【請求項５】
前記電気活性材料は、シリコン材料であり、シリコン含有粒子、チューブ、ワイヤ、ナノワイヤ、ファイバ、ロッド、シート、およびリボンの1または2以上を有することを特徴とする請求項1乃至4のいずれか一つに記載の複合電極材料。
【請求項６】
前記シリコン含有粒子は、生シリコン含有粒子、シリコン含有ピラー化粒子、シリコン含有基板粒子、シリコン含有多孔性粒子、およびシリコン含有多孔性粒子断片の1または2以上を有することを特徴とする請求項5に記載の複合電極材料。
【請求項７】
さらに、導電性材料を有することを特徴とする請求項1乃至6のいずれか一つに記載の複合電極材料。
【請求項８】
前記バインダーは、ポリ（エチレン−ａｌｔ−マレイン酸）のナトリウム塩であり、
前記電気活性材料は、シリコン含有ピラー化粒子およびシリコン含有生粒子の少なくとも一つから選定されることを特徴とする請求項1乃至7のいずれか一つに記載の複合電極材料。
【請求項９】
請求項1乃至8のいずれか一つに記載の複合電極材料を製造する方法であって、
当該方法は、バインダー溶液を形成するステップと、前記バインダー溶液を電気活性材料と混合するステップとを有し、
a  前記バインダー溶液は、溶媒中で、ポリマーとともに金属イオンの塩を混合することにより形成され、前記ポリマーは、
（i）マレイン酸およびマレイン酸誘導体から選定された、20から100%のモノマー単位、および
（ii）アクリル酸またはアクリル酸誘導体から選定された、0から80%のモノマー単位
で構成され、
b  前記電気活性材料は、シリコン、スズ、グラファイト、ハードカーボン、ガリウム、ゲルマニウム、電気活性セラミック材料、遷移金属酸化物、カルコニド、およびこれらの合金もしくは混合物の1または2以上を含むことを特徴とする方法。
【請求項１０】
前記金属イオンの塩は、ナトリウムならびにカリウムの水酸化物および／または炭酸塩を含む群から選定されることを特徴とする請求項9に記載の方法。
【請求項１１】
前記溶媒は、エタノール、プロパノール、およびブタノールを含む群から選定されたアルコール、水、またはこれらの混合物の1または2以上から選定されることを特徴とする請求項9または10に記載の方法。
【請求項１２】
前記電気活性材料は、シリコン材料であり、シリコン含有粒子、チューブ、ワイヤ、ナノワイヤ、ファイバ、ロッド、シート、およびリボンを有する群から選定されることを特徴とする請求項9乃至11のいずれか一つに記載の方法。
【請求項１３】
前記電気活性材料は、生シリコン含有粒子、シリコン含有ピラー化粒子、シリコン含有基板粒子、シリコン含有多孔性粒子、およびシリコン含有多孔性粒子断片を有する群から選定されたシリコン含有電気活性材料であることを特徴とする請求項9乃至12のいずれか一つに記載の方法。
【請求項１４】
前記バインダーと混合される前に、追加の電気活性材料および導電性材料から選定された1または2以上の追加の成分が、前記シリコン含有電気活性材料を含むスラリーまたは分散物の形態に形成されることを特徴とする請求項9乃至13のいずれか一つに記載の方法。
【請求項１５】
集電体と、請求項1乃至8のいずれか一つに記載の複合電極材料とを有する電極。
【請求項１６】
請求項15に記載の電極を製造する方法であって、
基板の上に、請求項1乃至8のいずれか一つに記載の複合電極材料を形成するステップと、
前記形成された材料を、集電体と接続するステップと、
を有する方法。
【請求項１７】
カソードと、電解質と、請求項15に記載の電極を有するアノードと、を有する電気化学セル。
【請求項１８】
請求項17に記載の電気化学セルを含む装置。
【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
傾斜付きスリーブと前記傾斜付きスリーブの内側の円筒体とで構成された引き抜きロック機構を備える緩み止めソケットであって、前記傾斜付きスリーブの内側長手方向断面は傘形の円錐角を有し、前記傾斜付きスリーブの中間部はピンを貫通させ、前記円筒体は上下動可能な浮動ブロックに取り付けられて前記浮動ブロックによって前記傾斜付きスリーブの内側円錐面に沿って上下動可能である、緩み止めソケット。
【請求項２】
互いにスナップ嵌合される上蓋体と下蓋体とで筐体が構成され、前記引き抜きロック機構は前記筐体の内部に、前記上蓋体の挿入穴の下方かつ挿入用ブッシュの上方に取り付けられる、請求項１に記載の緩み止めソケット。
【請求項３】
前記引き抜きロック機構において、２つの円筒体が前記傾斜付きスリーブの内側の２つの側に対称的に配置される、請求項２に記載の緩み止めソケット。
【請求項４】
前記引き抜きロック機構は少なくとも１つである、請求項２に記載の緩み止めソケット。
【請求項５】
前記円筒体の代わりに楔体または球体が使用される、請求項１乃至４の何れか１項に記載の緩み止めソケット。
【請求項６】
操作レバーが前記筐体の内部に取り付けられ、前記操作レバーの一端はヒンジ軸によって前記筐体に取り付けられ、前記筐体の外側のソケットボタンが前記操作レバーの他端に取り付けられ、バネまたは弾性体が前記浮動ブロックの下方に取り付けられ、前記浮動ブロックは前記操作レバーの中間部に移動可能に嵌着される、請求項３に記載の緩み止めソケット。
【請求項７】
前記引き抜きロック機構と、前記挿入用ブッシュと、前記バネまたは弾性体と、前記浮動ブロックとは、緩み止め機能モジュールを構成するように、互いにスナップ嵌合されるモジュールベースとさまざまな挿入穴を有する小形パネルとの内部に取り付けられる、請求項６に記載の緩み止めソケット。
【請求項８】
前記傾斜付きスリーブと前記挿入用ブッシュとを固定するためのブラケットが前記傾斜付きスリーブと前記挿入用ブッシュとの間に配設される、請求項６に記載の緩み止めソケット。
【請求項９】
前記引き抜きロック機構は前記緩み止め機能モジュールに含まれ、前記緩み止め機能モジュールはモジュールベースと上部小形パネルとをさらに備え、前記上部小形パネルと前記モジュールベースとは互いにスナップ嵌合され、前記ピンを留めるための挿入用ブッシュが前記モジュールベースの内部に取り付けられ、前記浮動ブロックは前記上部小形パネルと前記モジュールベースとの間に配設され、バネが前記浮動ブロックの下方に取り付けられ、プラグを貫通させる前記傾斜付きスリーブは前記上部小形パネルに対応する挿入穴位置に取り付けられ、操作レバーが前記緩み止めソケットの内部に取り付けられ、前記操作レバーの中間部は前記浮動ブロックに接続され、前記浮動ブロックは、前記操作レバーが前記モジュールベースに密着するように、前記バネのバネ力によって前記操作レバーに対する引張力をもたらし、前記操作レバーの２つの端部のうちの一端は、外力下で他端を回転させるための支点を形成するために、前記モジュールベースに接触可能である、請求項１に記載の緩み止めソケット。
【手続補正書】
【提出日】平成27年1月21日(2015.1.21)
【手続補正１】
【補正対象書類名】明細書
【補正対象項目名】００２７
【補正方法】変更
【補正の内容】
【００２７】
プリント回路基板１０，１２は、平面型光導波路（平面光導波路）１４，１６，１８を備えている。プリント回路基板１０，１２は、例えばＦＲ４などの硬質の基板１０及び、硬質であり、或いは可撓性であってもよく、例えば、ポリイミドからなる追加の層１２を含む。層１２に光導波路１４，１６，１８が付与され、これらは、平坦に付与されたポリマーシース（クラッド）１４、組み込まれた導波路コア又はポリマーコア１８、及び、平坦に付与されたさらなるポリマーシース（クラッド）１６を有する。ポリマーシース又はクラッド層１４、１６は、同一の材料から製造される。導波路コア１８の材料は、クラッド層１４、１６の材料よりも高い屈折率を有し、これが、ポリマー光導波路を画成する。ポリマー光導波路１４，１６，１８と同一の材料からなり、且つ同一のリソグラフィプロセスにより作成された水平方向のガイド構造物４４も付与される。
【手続補正２】
【補正対象書類名】明細書
【補正対象項目名】００３０
【補正方法】変更
【補正の内容】
【００３０】
２つの部品、すなわち、フェルール３２とプリント回路基板１０，１２とが、互いに容易に押し合わされることができ、これにより、光学的カップリングシステムを形成する。プリント回路基板１０，１２上の平面型ポリマー光導波路１４，１６，１８のポリマーコア１８と、ＭＴフェルール３２内の、グラスファイバからなるグラスファイバコア２８とが、位置ｘ，ｙ及びｚにおいて互いに対して正確に位置合わせされる。２つの部品は、２つの面２５，３７の間の接触領域にて、機械的安定性を高めるために、互いに接着させることができる。導波路コア１８，２８に適合した屈折率を有する光学接着剤を、平面型導波路の端部（端面２０）とファイバ端部（端面３４）との間に付与して、空隙の形成を防止することもできる。
【手続補正３】
【補正対象書類名】明細書
【補正対象項目名】００３１
【補正方法】変更
【補正の内容】
【００３１】
本発明は、光プリント回路基板（平面型ポリマー光導波路１４，１６，１８を有する光プリント回路基板１０，１２）が、グラスファイバ光導波路のグラスファイバ又はポリマーファイバに、修正された標準的ＭＴフェルール３２又は類似のデザインを有する要素を用いて、受動的に、光学的に接続される。この光学的インタフェースは、光学データ伝送において将来益々重要な役割を果たすであろう光プリント回路基板が、既に数十年も用いられているような標準的な光ファイバに接続されることを可能にする。
【手続補正書】
【提出日】平成27年6月25日(2015.6.25)
【手続補正１】
【補正対象書類名】特許請求の範囲
【補正対象項目名】全文
【補正方法】変更
【補正の内容】
【特許請求の範囲】
【請求項１】
光ファイバコネクタ内で光ファイバを支持するためのフェルールを作製する方法において、
縦長開溝である１つまたは複数の溝が表面に設けられた前記フェルールの本体を、ブランクから形成する工程を含み、
それぞれの前記溝は光ファイバをクランプすることによって前記溝内に前記光ファイバを確実に保持するための寸法につくられ、
前記形成する工程は、それぞれが縦長開口を有する１本または複数本の概ねＵ字形のチャネルを形成するために、前記ブランクを型打ちする工程を含むことを特徴とする方法。
【請求項２】
前記形成する工程において、複数本の前記概ねＵ字形のチャネルが形成され、前記本体の表面に複数の前記溝が設けられることを特徴とする請求項１記載の方法。
【請求項３】
前記形成する工程が、前記概ねＵ字形のチャネルの前記縦長開口の少なくとも一区画を狭める工程をさらに含むことを特徴とする請求項１または２に記載の方法。
【請求項４】
前記狭める工程が、前記概ねＵ字形のチャネルの前記開口に隣接する材料を前記開口に向けて内側に押し込んで前記開口の前記区画を狭めるように、前記材料を型打ちする工程を含むことを特徴とする請求項３に記載の方法。
【請求項５】
前記狭める工程が、材料を前記開口に向けて流し込んで前記開口の前記区画を狭めるために前記開口の前記区画の対向する縁をスポット溶融する工程を含むことを特徴とする請求項３に記載の方法。
【請求項６】
前記溝が、前記溝内に前記光ファイバを確実に保持して前記溝に対する前記光ファイバの動きを防止するための寸法及び形状につくられることを特徴とする請求項１または２に記載の方法。
【請求項７】
前記溝が、前記溝に対する前記光ファイバの動きを可能にするための前記光ファイバとの間のいかなるクリアランスも無しに、前記溝内に前記光ファイバを確実に保持することを特徴とする請求項６に記載の方法。
【請求項８】
前記溝が、エポキシ樹脂または補助体を必要とせずに、前記溝内に前記光ファイバを確実に保持することを特徴とする請求項７に記載の方法。
【請求項９】
前記縦長開口が、前記開口の少なくとも一区画に沿って対向する縁に形成された、２つの対向するリップによって定められる幅を有し、前記幅が前記光ファイバの直径より小さく、よって前記光ファイバが締り嵌めによって前記溝内に確実に保持されることを特徴とする請求項１または２に記載の方法。
【請求項１０】
前記縦長開口が、前記開口の少なくとも一区画に沿って対向する縁に形成された、２つの対向するリップによって定められる幅を有し、前記幅が前記リップを含む同じ断面内の前記溝の最大幅より小さいことを特徴とする請求項１または２に記載の方法。
【請求項１１】
前記溝が断面において半円形の底を有することを特徴とする請求項１または２に記載の方法。
【請求項１２】
前記縦長開口の前記幅が前記溝の全長に沿って一様であることを特徴とする請求項９に記載の方法。
【請求項１３】
前記リップが前記縦長開口の全体に沿って縦方向に延びることを特徴とする請求項１２に記載の方法。
【請求項１４】
前記溝が底及び前記底から延びる対向する側壁を有する、断面プロファイルを前記溝が有し、前記側壁が垂直線より内向きに傾けられることを特徴とする請求項１または２に記載の方法。
【請求項１５】
前記対向する側壁が、前記溝の前記縦長開口の幅を定める、対向するリップで終端し、前記幅が同じ断面プロファイル内の前記溝の最大幅より小さいことを特徴とする請求項１４に記載の方法。
【請求項１６】
前記フェルールが、前記本体の前記表面に複数本のピン溝をさらに有し、それぞれの前記ピン溝が縦長開口を有し、それぞれの前記ピン溝は位置合せピンをクランプすることによって前記ピン溝内に前記位置合わせピンを確実に保持するための寸法及び形状につくられることを特徴とする請求項１または２に記載の方法。
【請求項１７】
請求項１から１６いずれか１項に記載の方法により作製されたフェルール。
【請求項１８】
光ファイバコネクタにおいて、
請求項１７に記載のフェルール、及び
前記フェルールを支持するハウジング
を有することを特徴とする光ファイバコネクタ。
【請求項１９】
光ファイバコネクタ内で光ファイバを支持するためのフェルールを作製する方法において、
縦長開溝である１つまたは複数の溝が表面に設けられた前記フェルールの本体を形成するように、ブランクを型打ちする工程を含み、
それぞれの前記溝は光ファイバをクランプすることによって前記溝内に前記光ファイバを確実に保持するための寸法につくられることを特徴とする方法。
【請求項２０】
前記型打ちする工程において、前記本体の表面に複数の前記溝が設けられることを特徴とする請求項１９記載の方法。
【請求項２１】
前記型打ちする工程は、それぞれが縦長開口を有する１本または複数本の概ねＵ字形のチャネルを形成するように、前記ブランクを型打ちする工程を含むことを特徴とする請求項１９記載の方法。
【請求項２２】
前記型打ちする工程において、複数本の前記概ねＵ字形のチャネルが形成され、前記本体の表面に複数の前記溝が設けられることを特徴とする請求項２１記載の方法。
【請求項２３】
前記概ねＵ字形のチャネルの前記縦長開口の少なくとも一区画を狭める工程をさらに含むことを特徴とする請求項２１または２２に記載の方法。
【請求項２４】
前記狭める工程が、前記概ねＵ字形のチャネルの前記開口に隣接する材料を前記開口に向けて内側に押し込んで前記開口の前記区画を狭めるように、前記材料を型打ちする工程を含むことを特徴とする請求２３に記載の方法。
【請求項２５】
前記狭める工程が、材料を前記開口に向けて流し込んで前記開口の前記区画を狭めるために前記開口の前記区画の対向する縁をスポット溶融する工程を含むことを特徴とする請求項２３に記載の方法。
【請求項２６】
光ファイバコネクタ内で光ファイバを支持するためのフェルールにおいて、
本体、及び
前記本体の表面を型打ちすることにより形成された縦長開溝である１つまたは複数の溝、
を有し、
それぞれの前記溝が縦長開口を有し、
それぞれの前記溝は光ファイバをクランプすることによって前記溝内に前記光ファイバを確実に保持するための寸法につくられる、
ことを特徴とするフェルール。
【請求項２７】
複数の前記溝を有することを特徴とする請求項２６記載のフェルール。